(57)【要約】【課題】  映像表示装置にアスペクト比が異なる画像を表示しても視聴者が違和感を生じることのない映像表示制御装置および映像表示制御プログラムを提供する。【解決手段】  セットトップボックス４は、ＰＣ１のハードディスクドライブから映像データ読み出してビデオＲＡＭに展開する。ビデオＲＡＭはＩＴＵ−Ｒ６０１規格に対応して解像度７２０×４８０ピクセルに画像を展開する。ビデオＲＡＭに展開した映像データは、ＴＶ５に出力する直前に画面アスペクト比４：３のテレビのドットアスペクト比９：８を想定して縦方向に８／９圧縮補正して出力する。これにより、ＰＣ１上に記憶されているＰＣ用の映像データをＴＶに出力しても横縦が歪まずに違和感なく視聴することが可能となる。【選択図】  図１
2006166268.tif 000002
【特許請求の範囲】
【請求項１】
入力される映像データを所定のサイズに展開してバッファするビデオメモリと、
映像データの本来表示されるべきドットアスペクト比と、接続する映像表示装置のドットアスペクト比とを基にして、ビデオメモリに展開している映像データを縦方向または横方向に圧縮または伸張して横縦比率を変換する映像補正手段と、
補正した映像データを映像信号として映像表示装置に出力する映像信号出力手段と、
を備えた映像表示制御装置。
【請求項２】
ユーザが自由な比率で圧縮または伸張を指示することができるユーザ指示手段をさらに備え、
前記映像補正手段は、ユーザの指示する比率で圧縮または伸張することを特徴とする請求項１に記載の映像表示制御装置。
【請求項３】
前記映像補正手段が補正した比率をその映像データに付与して保存する比率記録手段を備えたことを特徴とする請求項１または請求項２に記載の映像表示制御装置。
【請求項４】
前記映像信号出力手段は、映像信号として出力する映像データ内にウィンドウを設定し、当該ウィンドウにビデオメモリに展開している補正前の映像データを表示することを特徴とする請求項１、請求項２、または請求項３に記載の映像表示制御装置。
【請求項５】
パーソナルコンピュータに、
記憶媒体等に記憶されている映像データを読み出す手順、
読み出した映像データを一時記憶領域に所定のサイズに展開してバッファする手順、
一時記憶領域に展開している映像データを、パーソナルコンピュータ用ディスプレイのドットアスペクト比と、テレビのドットアスペクト比とを基にして、縦方向または横方向に圧縮または伸張する映像補正手順、
補正した映像データを映像信号として映像表示装置に出力する出力手順、
を実行させる映像表示制御プログラム。
【請求項６】
映像補正手順は、ユーザが指定する比率で圧縮または伸張をする手順を含む請求項５に記載の映像表示制御プログラム。
【請求項７】
補正した比率をその映像データに付与して保存する比率記録手順をさらに実行させる請求項５または請求項６に記載の映像表示制御プログラム。
【請求項８】
テレビのドットアスペクト比で表示するウィンドウを前記パーソナルコンピュータに接続されたパーソナルコンピュータ用ディスプレイに表示する手順、
該ウィンドウに映像データを表示する手順、
をさらに実行させる請求項５、請求項６、または請求項７のいずれかに記載の映像表示制御プログラム。
【請求項９】
前記出力手順は、映像信号として出力する映像データ内にウィンドウを設定し、当該ウィンドウに一時記憶領域に展開している補正前の映像データを表示する手順を含む請求項５乃至請求項８のいずれかに記載の映像表示制御プログラム。
【請求項１０】
パーソナルコンピュータに、
記憶媒体等に記憶されている映像データを読み出す手順、
読み出した映像データを一時記憶領域に所定のサイズに展開してバッファする手順、
一時記憶領域に展開している映像データを、映像データの本来表示されるべきドットアスペクト比と、パーソナルコンピュータ用ディスプレイのドットアスペクト比とを基にして、縦方向または横方向に圧縮または伸張してパーソナルコンピュータ用ディスプレイのドットアスペクト比に表示されるようにする映像補正手順、
補正した映像データを映像信号として前記パーソナルコンピュータに接続されたパーソナルコンピュータ用ディスプレイに出力する出力手順、
を実行させる映像表示制御プログラム。
【発明の詳細な説明】
【技術分野】
【０００１】
この発明は、ドットアスペクト比の異なる映像表示装置で再生映像を歪みなく表示する映像表示制御装置および映像表示制御プログラムに関する。
【背景技術】
【０００２】
一般に、我が国において最も普及しているテレビジョン受信機（以下、ＴＶと言う）の画面アスペクト比（画面の横縦比）は４：３である。これはＮＴＳＣ信号のアスペクト比４：３に対応したものである。しかし、近年アスペクト比が１６：９であるＨＤＴＶ信号等、４：３以外の画像を受信する機会が増え、ワイドＴＶと言われるアスペクト比１６：９に対応したＴＶも普及しつつある。
【０００３】
上記のＨＤＴＶ信号の画像をアスペクト比４：３のＴＶに表示するには横方向を圧縮等して画像を補正しなければならない。この場合本来の画像よりも縦長の画像に表示されて視聴者に違和感を生じさせる。
【０００４】
そこで、アスペクト比１６：９の素材画像をアスペクト比４：３の画面へ表示する時に、表示画像中央部近傍においては、素材画像と同じアスペクト比１６：９となるようにし、左右両端に近づくに従い横方向に圧縮して段階的に４：３以下のアスペクト比に変換する方法が提案されている（例えば特許文献１参照）。
【特許文献１】特開２００１−０２８７８６号公報
【発明の開示】
【発明が解決しようとする課題】
【０００５】
ところで、国際電気通信連合のＩＴＵ−Ｒ６０１規格では、ＮＴＳＣ方式のディジタルビデオの解像度を７２０×４８６（または７２０×４８０）ピクセルとしている。すなわち、ＴＶ画面のアスペクト比は４：３であるが、走査線と走査線の間に若干の隙間があることから、ＩＴＵ−Ｒ６０１のディジタルビデオ規格ではピクセルを８／９の縦長とし、３：２のピクセル比で４：３のアスペクト比の映像を表示するようにしている。
【０００６】
一方、パーソナルコンピュータ（以下、パソコンと言う）の画面もアスペクト比は４：３であるが、走査線に隙間が無く各ピクセルが正方形であるため、パソコンで表示するための画像ファイル、動画ファイル等は、３２０×２４０や６４０×４８０という４：３のピクセル比（解像度）のものが多い。
【０００７】
ところで、近年ディジタルカメラやパソコン用ビデオカメラ等が普及し、スナップ映像等がパソコン用の画像／動画ファイルとして撮影されることが多くなっている。そして、このような画像／動画ファイルをパソコン画面で見るのみでなく、大画面のテレビで一緒に見ることが望まれるようになってきた。
【０００８】
このため、パソコンの映像出力をＮＴＳＣ信号に変換してテレビに出力するセットトップボックスが実用化されている。しかし、従来のセットトップボックスは、サイズ変換をするのみで、ドットアスペクト比の変換をしていなかったため、パソコンの正方形ピクセル用の画像／動画ファイルを縦長ピクセルのテレビ画面に表示すると画像が縦に伸びてしまうという問題点があった。
【０００９】
例えば、特許文献１に記載のアスペクト比変換回路は、１６：９の画像を４：３に変換する方法は提示されているが、上記のようなドットアスペクト比の異なる表示装置に画像を表示変換する方法は提示されていない。
【００１０】
この発明は、ドットアスペクト比が異なる映像表示装置に映像を表示しても画像が歪まず、視聴者に違和感を生じさせない映像表示制御装置および映像表示制御プログラムを提供することを目的とする。
【課題を解決するための手段】
【００１１】
請求項１に記載の発明は、入力される映像データを所定のサイズに展開してバッファするビデオメモリと、映像データの本来表示されるべきドットアスペクト比と、接続する映像表示装置のドットアスペクト比とを基にして、ビデオメモリに展開している映像データを縦方向または横方向に圧縮または伸張して横縦比率を変換する映像補正手段と、補正した映像データを映像信号として映像表示装置に出力する映像信号出力手段と、を備えたことを特徴とする。
【００１２】
この発明では、接続されている映像再生装置、例えばＬＡＮを介して接続されたパソコン等の映像データを入力する。入力した映像データはビデオＲＡＭに展開する。その後、ビデオＲＡＭの画像データを所定の変換比率で横方向または縦方向に圧縮または伸張してＴＶ等の映像表示装置に出力する。補正する比率は、本来その映像データが表示されるべきドットアスペクト比に表示されるように、映像表示装置のドットアスペクト比を想定した比率で圧縮または伸張する。例えば、７２０×４８０ピクセルの映像をアスペクト比４：３のＴＶ画面に表示する時は、ＴＶ画面のドットアスペクト比は９：８になるので、パソコンの正方形ピクセル用の映像データが入力されたときは、ビデオＲＡＭに展開した映像データを縦方向に８／９倍に圧縮する。
【００１３】
請求項２に記載の発明は、上記発明において、ユーザが自由な比率で圧縮または伸張を指示することができるユーザ指示手段をさらに備え、前記映像補正手段は、ユーザの指示する比率で圧縮または伸張することを特徴とする。
【００１４】
この発明では、ユーザが自由に圧縮、伸張の指示をし、ビデオＲＡＭに展開されている映像データをユーザの指示に応じて補正して画面上に表示する。ユーザはテレビ画面上で確認しながら圧縮または伸張を指示することができる。
【００１５】
請求項３に記載の発明は、上記発明において、前記映像補正手段が補正した比率をその映像データに付与して保存する比率記録手段を備えたことを特徴とする。
【００１６】
この発明では、補正した圧縮、伸張比率を映像データに付加情報として記録する。次にこの映像データを入力した時には、付加情報に記録されている比率を参照し、ビデオＲＡＭの画像データをその比率で補正してＴＶ等の映像表示装置に出力する。
【００１７】
請求項４に記載の発明は、上記発明において、前記映像信号出力手段は、映像信号として出力する映像データ内にウィンドウを設定し、当該ウィンドウにビデオメモリに展開している補正前の映像データを表示することを特徴とする。
【００１８】
この発明では、テレビ画面に補正後の映像を表示するとともに、補正前の映像もウィンドウ表示する。
【００１９】
請求項５に記載の発明は、パーソナルコンピュータに、記憶媒体等に記憶されている映像データを読み出す手順、読み出した映像データを一時記憶領域に所定のサイズに展開してバッファする手順、一時記憶領域に展開している映像データを、パーソナルコンピュータ用ディスプレイのドットアスペクト比と、接続されているテレビのドットアスペクト比とを基にして、縦方向または横方向に圧縮または伸張する映像補正手順、補正した映像データを映像信号として映像表示装置に出力する出力手順、を実行させることを特徴とする。
【００２０】
この発明では、ハードディスクドライブに記憶されている映像データを読み出し、一時記憶領域に展開する。その後、一時記憶領域の映像データの縦横比を所定の変換比率で横方向または縦方向に圧縮または伸張してテレビ等に出力する。補正する比率は、パソコン用ディスプレイに表示されるべきドットアスペクト比に表示されるように、テレビのドットアスペクト比を想定した比率で圧縮または伸張する。例えば、７２０×４８０ピクセルの映像をアスペクト比４：３のテレビ画面に表示する時は、テレビ画面のドットアスペクト比は９：８になるので、パソコン用ディスプレイに表示するための映像データは縦方向に８／９倍に圧縮する。
【００２１】
請求項６に記載の発明は、上記発明において、映像補正手順は、ユーザが指定する比率で圧縮または伸張をする手順を含むことを特徴とする。
【００２２】
この発明では、ユーザが自由に圧縮、伸張の指示をし、映像データをユーザの指示に応じて変換して画面上に表示する。ユーザはテレビ画面上で確認しながら縦横比を指示することができる。
【００２３】
請求項７に記載の発明は、上記発明において、補正した比率をその映像データに付与して保存する比率記録手順をさらに実行させることを特徴とする。
【００２４】
この発明では、補正した比率を映像データに付加情報として記録する。次にこの映像データを読み出す時には、付加情報に記録されている比率を参照し、映像データをその比率で変換してテレビ等に出力する。
【００２５】
請求項８に記載の発明は、上記発明において、テレビのドットアスペクト比で表示するウィンドウをパーソナルコンピュータ用ディスプレイに表示する手順、該ウィンドウに映像データを表示する手順、をさらに実行させることを特徴とする。
【００２６】
この発明では、テレビ画面に実際に表示されると想定できる映像をパソコンのディスプレイ上でシミュレートしてウィンドウ表示する。ディスプレイ上にシミュレート表示するのは、圧縮、伸張をせずに出力した時にテレビ画面に表示される映像と、補正して出力したときに表示される映像とを複数表示するようにしてもよい。例えば、アスペクト比４：３のテレビ画面に表示される映像を、そのまま補正せずに出力した場合と縦方向に８／９に圧縮した時に表示される映像を並べて表示する。また、ユーザが手動で指定した補正映像も表示する。
【００２７】
請求項９に記載の発明は、上記発明において、前記出力手順は、映像信号として出力する映像データ内にウィンドウを設定し、当該ウィンドウに一時記憶領域に展開している補正前の映像データを表示する手順を含むことを特徴とする。
【００２８】
この発明では、テレビ画面に補正後の映像を表示するとともに、補正前の映像もウィンドウ表示する。
【００２９】
請求項１０に記載の発明は、パーソナルコンピュータに、記憶媒体等に記憶されている映像データを読み出す手順、読み出した映像データを一時記憶領域に所定のサイズに展開してバッファする手順、一時記憶領域に展開している映像データを、映像データの本来表示されるべきドットアスペクト比と、パーソナルコンピュータ用ディスプレイのドットアスペクト比とを基にして、縦方向または横方向に圧縮または伸張してパーソナルコンピュータ用ディスプレイのドットアスペクト比に表示されるようにする映像補正手順、補正した映像データを映像信号として前記パーソナルコンピュータに接続されたパーソナルコンピュータ用ディスプレイに出力する出力手順、を実行させることを特徴とする。
【００３０】
この発明では、ハードディスクドライブに記憶されている映像データを読み出し、一時記憶領域に展開する。その後、一時記憶領域の映像データの縦横比を所定の変換比率で横方向または縦方向に圧縮または伸張してパソコン用ディスプレイに出力する。例えば、ドットアスペクト比９：８のテレビ画面用の映像データをパソコンで表示する時は、パソコン用ディスプレイに表示するときに縦方向に９／８倍に伸張する。
【発明の効果】
【００３１】
この発明によれば、接続される映像表示装置のドットアスペクト比を想定して映像データを横方向または縦方向に圧縮または伸張したのちに映像信号を出力するので、映像表示装置画面のドットアスペクト比と異なるアスペクト比で表示されるべき映像データを表示しても縦長や横長に表示されることなく違和感無く視聴することが可能となる。
【００３２】
また、テレビ画面上あるいはパソコン画面上でユーザの操作に応じて圧縮、伸張して補正するので、どのようなアスペクト比を有する映像データであっても容易に補正して違和感なく視聴することが可能となる。
【発明を実施するための最良の形態】
【００３３】
以下、本発明の実施形態である映像再生システムについて図を用いて詳細に説明する。
【００３４】
図１は本実施形態の映像再生システムの構成を示したブロック図である。同図に示すようにＬＡＮ３を介して互いに接続されたＰＣ（パーソナルコンピュータ）１とセットトップボックス４、ＰＣ１に接続されたＰＣ用ディスプレイ２、およびセットトップボックスに接続されたＴＶ５を備えている。この映像再生システムにおけるセットトップボックス４は、ＬＡＮ３を介して接続されたＰＣ１から映像データを読み出してＴＶ５に表示再生するものである。
【００３５】
図２はＰＣ１の構成を示したブロック図である。同図に示すようにＰＣ１は、ハードディスクドライブ６と制御部７とネットワークアダプタ８とＲＡＭ９を有している。ハードディスクドライブ６は記憶装置であり、映像データを複数記憶している。映像データはＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）等のデータである。
【００３６】
ネットワークアダプタ８は、ＬＡＮ３に接続してデータを送受信するものである。ＲＡＭ９は、制御部７の動作に応じて一時的に種々の情報を記憶するものである。
【００３７】
制御部７は、ＰＣ１全体の動作を制御するものであり、ここではハードディスクドライブ６から映像データを読み出し、ＲＡＭ９に一時展開してＰＣ用ディスプレイ２に出力する。なお、ＰＣ用ディスプレイ２がアナログ表示装置である場合には、Ｄ／ＡコンバータでアナログＲＧＢ信号等に変換してから出力する。
【００３８】
図３はセットトップボックス４の構成を示したブロック図である。同図に示すようにセットトップボックス４は、ネットワークアダプタ１０、制御部１１、ＲＡＭ１２、外部入力端子１３、ＤＶＤドライブ１４、再生部１５、および操作部１６を備えている。
【００３９】
ネットワークアダプタ１０は、ＬＡＮ３に接続してデータを送受信するものである。ＲＡＭ１２は、制御部１１の動作に応じて一時的に種々の情報を記憶するものであるが、このセットトップボックス４においては主に映像データを一時記憶するビデオＲＡＭとして機能する。外部入力端子１３は、ＵＳＢ端子等であり、この端子に接続される装置からデータを受信するものである。例えば外付けフラッシュメモリ等を接続する。ＤＶＤドライブ１４は、ＤＶＤから映像データを読み出すことができる。
【００４０】
制御部１１は、セットトップボックス４全体の動作を制御するものであり、ここではＤＶＤドライブ１４、外部入力端子１３、またはＬＡＮ３を介して接続されるＰＣ１等から映像データを読み出し、ＲＡＭ１２に一時展開して再生部１５に出力する。再生部１５は、出力された映像データをアナログ映像信号に変換してＴＶ５に出力する。ＴＶ５は映像信号を受信して画面に表示する。
【００４１】
操作部１６は、リモコン等を含み、ユーザによる操作を受け付けるものである。データ選択、再生、停止等のユーザの入力を受けたとき、これを制御部１１に伝達する。
【００４２】
ＬＡＮ３から入力された映像データはＲＡＭ１２に展開する。なお、このときハードディスクドライブ６に記憶されている映像データがＭＰＥＧ２等の圧縮データである場合はデコードしてからＲＡＭ１２に展開する。制御部１１は、ＲＡＭ１２に読み出した映像データを解像度７２０×４８０ピクセルの映像として展開する。これはＩＴＵ−Ｒ６０１のディジタルビデオ規格に対応した解像度である。制御部１１はＲＡＭ１２に展開した映像データを再生部１５に出力し、映像信号としてＴＶ５に出力する。
【００４３】
このような解像度でＴＶ５に映像信号を出力すると、ＴＶ５の画面アスペクト比が４：３である場合は表示されるピクセルのドットアスペクト比は９：８になる。ＴＶ画面のアスペクト比は４：３であるが、走査線と走査線の間に若干の隙間があることから、ＩＴＵ−Ｒ６０１のディジタルビデオ規格ではピクセルを８／９の縦長とし、３：２のピクセル比で４：３のアスペクト比の映像を表示するようにしているためである。
【００４４】
一方でＰＣ１に接続されるＰＣ用ディスプレイ２の画面もアスペクト比は４：３であるが、走査線に隙間が無く各ピクセルが正方形であるため、パソコンで表示するための映像データ等は、３２０×２４０や６４０×４８０という４：３のピクセル比（解像度）のものが多い。ＰＣ１に記憶されている映像データは、本来ＰＣ用ディスプレイ２の正方形ピクセルで表示されるように最適化されているため、このような映像データをこのままＴＶに表示すると画像が縦に伸びることとなる。
【００４５】
制御部１１は、ＲＡＭ１２に展開されている映像データを横方向または縦方向に圧縮、伸張することができる。ここでは、ＲＡＭ１２に展開されている映像データを再生部１５に出力する前に縦方向に８／９に圧縮する。これにより縦に伸びていた画像が補正され、ＰＣ用ディスプレイ２に表示したときと同様の縦横比率で表示されるようになる。
【００４６】
なお、上記横縦比の変換において、ユーザが操作部１６から指示を出して圧縮、伸張の比率を決定するようにしてもよい。ユーザが圧縮、伸張比率を変更するように操作部１６から指示を出すと、制御部１１はまず上記のように映像データを縦方向に８／９圧縮補正して再生部１５に出力する。再生部１５は、映像データを映像信号としてＴＶ５に出力する。ＴＶ５はＴＶ画面に映像を表示する。その後、ユーザがリモコンの上下左右ボタンなどを用いて圧縮または伸張を指示する。制御部１１はユーザが圧縮、伸張を指示した時は所定の調整幅で映像データの圧縮、伸張を行い、補正した映像データを再生部１５に出力する。再生部１５は補正された映像データを映像信号としてＴＶ５に出力し、ＴＶ５はＴＶ画面に補正された映像を表示する。これによりユーザの好みの比率に微調整することが可能となる。
【００４７】
なお、上記に示した補正は外部入力端子１３やＤＶＤドライブ１４から入力される映像データについても行う。パソコンで表示するための映像データが入力された時はＬＡＮ３、外部入力端子１３、ＤＶＤドライブ１４等の入力元に関わらず補正を行う。なお、ＤＶＤビデオ等、テレビに表示するための映像データが入力された時はこの限りでなく、補正をせずに映像信号として出力すればよい。また、補正を行わずに映像信号を出力して、上記のようにユーザがＴＶ５の画面を見て、手動で補正することも可能である。また、補正後の映像を映像信号として出力し、その映像内に補正をせずにテレビに表示した場合の映像をウィンドウ表示されるようにしてもよい。なお、正をせずに映像信号として出力し、その映像内に補正後の映像をウィンドウ表示されるようにしてもよい。ユーザはそのウィンドウ表示された映像にメインの映像を切り替えることが可能である。
【００４８】
次にセットトップボックス４がＰＣ１のハードディスクドライブ６に保存されている映像データをＴＶに表示再生する動作について詳細に説明する。
【００４９】
セットトップボックス４の制御部１１は、操作部１６から映像データの参照を指示されたときは、ネットワークアダプタ１０，ＬＡＮ３、およびネットワークアダプタ８を介してＰＣ１の制御部７にハードディスクドライブに記憶されている映像データのファイル名等を読み出して、セットトップボックス４に出力するように指示する。セットトップボックス４の制御部１１は、読み出したファイル名等をＴＶ画面に一覧表示する画面を生成し、再生部１５に出力する。これによりユーザはＰＣ１のハードディスクドライブ６に記録されている映像データを参照することができる。
【００５０】
また、セットトップボックス４の制御部１１は、操作部１６から映像の再生を指示されたときは、上記と同様にネットワークアダプタ１０，ＬＡＮ３、およびネットワークアダプタ８を介してＰＣ１の制御部７にハードディスクドライブ６に記憶されている映像データを読み出して出力するように指示する。
【００５１】
なお、上記のような動作を行うために、ＰＣ１がセットトップボックス４の制御部１１の指示を受けることができるようなソフトウェアをインストールしておけばよい。
【００５２】
次に制御部１１は、上記のように補正した映像データの圧縮、伸張比率をその映像データに付加情報として記録する。外部入力端子１３から映像データが入力されて補正した場合は、接続されている機器に記憶されている映像データに直接付加情報を書き込んで保存する。ネットワーク３を介して接続されているＰＣ１から映像データが入力されている場合には、ＰＣ１の制御部７に対し、ハードディスクドライブ６に記憶されている映像データに付加情報を書き込むようなコマンドを送信する。ＰＣ１の制御部７はコマンドを受信して、補正した映像データに付加情報を書き込んで保存する。
【００５３】
このように映像データに付加情報を書き込むことで、次に制御部１１がその映像データを読み出した時には、その付加情報に記載されている補正比率を参照して、その圧縮、伸張比率で映像データを補正する。
【００５４】
なお、上記に記載の例においては、アスペクト比４：３のＴＶ画面に映像データを表示する例を示したが、このようなＴＶ画面に表示する例に限るものではない。例えば、ワイドＴＶと言われるアスペクト比１６：９の画面を有するＴＶ画面に表示する場合や、１２８０×１０２４ピクセルの液晶テレビ等にも上記の補正を用いることが可能である。それぞれのドットアスペクト比に対応した補正をすればよい。
【００５５】
以上の実施形態では、ドットアスペクト比の変換をセットトップボックスで行う例を示したが、このドットアスペクト比の変換を映像データを記憶しているパーソナルコンピュータで行ってもよい。
【００５６】
以下の実施形態では、パーソナルコンピュータで映像データのドットアスペクト比の変換を行う例を示す。
【００５７】
図４はＰＣ用ディスプレイ２の表示画面を模式的に示した図である。同図のようにＰＣ用ディスプレイ２にはウィンドウ２１、ウィンドウ２２、およびウィンドウ２３が表示されている。それぞれのウィンドウにはハードディスクドライブ６に記憶されているデータのうち、ユーザが再生を指示した映像データが表示されている。同図においてはそれぞれ、再生を指示した映像データを元映像のままＰＣ用ディスプレイ２に表示したウィンドウ２１と、映像データの圧縮、伸張補正をせずにＴＶ画面に表示した場合の映像をシミュレートして表示したウィンドウ２２と、映像データの圧縮、伸張補正をしてＴＶ画面に表示した場合の映像をシミュレートして表示したウィンドウ２３とが表示されている。
【００５８】
ウィンドウ２２およびウィンドウ２３は、同図に示すようにアスペクト比４：３のＴＶ画面を想定してシミュレートしてもよいし、ワイドＴＶ等のアスペクト比１６：９のＴＶ画面を想定してシミュレートしてもよい。また、１２８０×１０２４ピクセルの液晶テレビ等を想定してもよい。アスペクト比４：３のＴＶ画面に表示する場合の映像を想定する場合、映像データの圧縮、伸張補正をしてＴＶ画面に表示した場合の映像をシミュレートして表示したウィンドウ２３は、縦方向に８／９圧縮補正した場合の映像を表示する。
【００５９】
映像データの圧縮、伸張補正をしてＴＶ画面に表示した場合の映像をシミュレートして表示したウィンドウ２３は、ユーザが操作して比率を変更することが可能である。ユーザはウィンドウ２３の枠をマウスで操作して最適な比率に圧縮伸張して比率を変更する。その後、ユーザが決定操作をすると、その決定された比率は、その映像データの圧縮、伸張比率の付加情報としてハードディスクドライブ６に記録される。これにより、セットトップボックス４でこの映像データをＴＶ画面に表示する時には決定した圧縮、伸張比率で表示されるようになる。
【００６０】
なお、セットトップボックス４を用いずに、ＰＣ１から直接ＴＶ画面に映像データを表示するようにしてもよい。すなわち、ＰＣ１で圧縮、伸張の補正処理をし、セットトップボックス４で補正処理をせずにＴＶ画面に表示してもよい。
【００６１】
図５は、セットトップボックス４を用いずにＰＣ１からＴＶ５に映像データを表示する場合の構成を示したブロック図である。
【００６２】
同図に示すようにＰＣ１にはＴＶ出力用外付機器１７が接続されている。なお、同図に示すような外付に限らずＰＣＩボード等で内蔵機器であってもよい。ＴＶ出力用外付機器１７は、制御部１８、ＲＡＭ１９、再生部２０を備えている。制御部１８は、ＴＶ出力用外付機器１７全体の動作を制御するもので、ここではＰＣ１から出力された映像データをＲＡＭ１９に展開し、展開した映像データを再生部２０に出力し、映像信号に変換してＴＶ５に出力する。
【００６３】
この例においては、ＰＣ１でハードディスクドライブ６に記憶されている映像データのうち、ユーザがＴＶ出力を指示した映像データを制御部７が読み出し、ＴＶ出力用外付機器１７の制御部１８に出力する。制御部１８はＲＡＭ１９に映像データを展開する。その後、展開しているデータを上述したように所定の圧縮、伸張比率で補正して再生部２０から映像信号をＴＶ５に出力する。圧縮、伸張比率は接続するＴＶのドットアスペクト比に対応して決定する。ここでもユーザがＴＶ画面上で圧縮、伸張比率を自由に変更できるようにしてもよいし、ＰＣ１上であらかじめ決定しておいてもよい。また、この例においても補正後の映像を映像信号として出力し、その映像内に補正をせずにテレビに表示した場合の映像をウィンドウ表示されるようにしてもよい。なお、上述したシミュレート表示をテレビに表示して行ってもよい。
【００６４】
圧縮、伸張比率を決定または変更したときはハードディスクドライブ６に記憶されているその映像データに圧縮、伸張比率を付加情報として記録する。次にその映像データを読み出すときには、付加情報を参照して記録されている圧縮、伸張比率で補正してＴＶ５に映像信号を出力する。
【００６５】
以上のように本発明の映像再生システムは、接続されるＴＶのドットアスペクト比を想定して映像データを横方向または縦方向に圧縮または伸張したのちに映像信号を出力するので、ＴＶ画面のドットアスペクト比と異なるアスペクト比で表示されるべき映像データを表示しても縦長や横長に表示されることなく違和感無く視聴することが可能となる。
【００６６】
また、ＴＶ画面上あるいはＰＣ画面上でユーザがリモコンなどを用いて、圧縮、伸張の比率を補正するので、どのようなアスペクト比を有する映像データであっても容易に補正して違和感なく視聴することが可能となる。
【００６７】
なお、この実施形態では、パーソナルコンピュータ用の映像データをテレビ受像機で正しく表示できるようにドットアスペクト比を変換することについて説明したが、逆にテレビ受像機用の映像データ（例えばＤＶＤビデオ等）をパソコン用の映像データ（映像ファイル）に変換する機能をセットトップボックスまたはパーソナルコンピュータに備えるようにしてもよい。このようなセットトップボックス、パーソナルコンピュータ用プログラムも本発明の技術的範囲内のものである。
【００６８】
また、この実施形態では、映像データのドットアスペクト比を変換することのみについて説明したが、上記実施形態のセットトップボックス、映像データ変換プログラムは、画面アスペクト比（４：３、１６：９等）を変換する機能も同時に備えるものである。画面アスペクト比の変換は、画像データの上下または左右に黒色のマージンを付加するか、または、画像データの上下または左右の一部を切り取ることで行う。
【図面の簡単な説明】
【００６９】
【図１】映像再生システムの構成を示したブロック図
【図２】ＰＣ１の構成を示したブロック図
【図３】映像再生装置の構成を示したブロック図
【図４】ＰＣ用ディスプレイ２の表示画面を模式的に示した図
【図５】セットトップボックス４を用いずにＰＣ１からＴＶ５に映像データを表示する場合の構成を示したブロック図
【符号の説明】
【００７０】
１−ＰＣ
２−ＰＣ用ディスプレイ
３−ネットワーク
４−セットトップボックス
５−ＴＶ
６−ハードディスクドライブ
７−ＰＣの制御部
８−ＰＣのネットワークアダプタ
９−ＰＣのＲＡＭ
１０−映像再生装置のネットワークアダプタ
１１−映像再生装置の制御部
１２−映像再生装置のＲＡＭ
１３−外部入力端子
１４−ＤＶＤドライブ
１５−再生部
１６−操作部
１７−ＴＶ出力用外付機器
１８−ＴＶ出力用外付機器の制御部
１９−ＴＶ出力用外付機器のＲＡＭ
２０−ＴＶ出力用外付機器の再生部
２１−元映像ウィンドウ
２２−補正無し映像ウィンドウ
２３−補正後映像ウィンドウ
【図１】
2006166268.tif 000003
【図２】
2006166268.tif 000004
【図３】
2006166268.tif 000005
【図４】
2006166268.tif 000006
【図５】
2006166268.tif 000007